(57)【要約】【課題】表示装置が映像信号を表示できる状態であるか否かを正確に判断し、ＨＤＭＩ出力端子に接続されている表示装置に映像信号を送信する映像処理装置を提供すること。【解決手段】  映像処理装置は、再生装置と接続可能であり、再生装置から送信される映像信号を、表示装置に第１の通信方式及び第２の通信方式によって出力する。映像処理装置は、表示装置と通信可能であるか否かを判断するためのコマンド送信し、コマンドの応答を得られた場合、表示装置が第１の通信方式で送信される映像信号を表示できると判断し、第１出力部から映像信号を送信する。この結果、表示装置が第１出力部から出力される映像信号を受信可能な状態であるにも関わらず、映像処理装置の映像出力部が第２出力部に変更されることを防止できる。【選択図】図２
2013172278.tif 000002
【特許請求の範囲】
【請求項１】
映像信号を送信する再生装置に接続可能であり、第１の通信方式及び第２の通信方式によって映像信号を表示装置に出力可能な映像処理装置であって、
前記第１の通信方式で映像信号を出力する第１出力部と、
前記第２の通信方式で映像信号を出力する第２出力部と、
前記第１出力部または前記第２出力部のいずれから映像信号を前記表示装置へ出力するかを設定する設定手段と、
前記第１出力部から映像信号を出力するよう設定されている場合、前記表示装置に前記第１の通信方式で前記映像処理装置と通信可能であるか否かを判断するためのコマンドを送信するコマンド送信手段とを備え、
前記コマンドによって、前記第１の通信方式で前記表示装置と通信可能であると判断されたとき、前記設定手段が映像信号の出力部を前記第１出力部に設定し、
設定された前記第１出力部から前記第１の通信方式によって映像信号を前記表示装置へ送信する送信手段をさらに備える、映像処理装置。
【請求項２】
前記再生装置から前記第１の通信方式で入力される映像信号に映像処理を実行する映像処理手段と、
前記再生装置から映像信号が入力されてから、前記映像処理手段が映像処理を実行し終えるまで、前記表示装置に疑似映像信号を送信する疑似映像信号送信手段とをさらに備え、
前記映像処理手段が前記映像処理を実行し終えたとき、前記疑似映像信号送信手段が前記疑似映像信号の送信を停止し、前記送信手段が前記映像処理手段によって処理された映像信号を前記表示装置に送信する、請求項１に記載の映像処理装置。
【請求項３】
前記映像処理手段によって映像処理が実行された映像信号を記憶する映像信号記憶部をさらに備え、
映像信号記憶部に前記映像処理手段によって映像処理が実行された映像信号が記憶され、映像信号を前記表示装置へ送信可能な状態になった後、疑似映像信号の送信を停止し、前記送信手段が映像信号記憶部から映像信号を前記表示装置へ送信する、請求項１または２に記載の映像処理装置。
【請求項４】
前記表示装置を識別するための表示装置識別子を前記表示装置から取得する表示装置識別子取得手段と、
前記映像処理装置から送信される前記第１の通信方式による映像信号を受信可能な状態であるか否かを示す出力許可信号を前記表示装置から取得する出力許可信号取得手段と、
前記表示装置が映像信号を一定時間受信しなかったとき、一定時間後に前記出力許可信号を許可状態から不許可状態に変更するか否かを示す時間経過後情報を取得する時間経過後情報取得手段と、
前記表示装置識別子に対応付けて、前記時間経過後情報を管理する管理手段と、
前記映像処理装置に接続されている前記表示装置が、映像信号を一定時間受信しなかったとき、一定時間後に前記出力許可信号を前記不許可状態に変更するか否かを判断する時間経過後情報判断手段とをさらに備え、
接続されている前記表示装置が映像信号を一定時間受信しなかったとき、一定時間後に前記出力許可信号を前記不許可状態に変更しないと判断された場合、前記疑似映像信号送信手段が前記表示装置へ前記疑似映像信号を送信しない、請求項２または３に記載の映像処理装置。
【請求項５】
請求項１〜４のいずれかに記載の映像処理装置の各手段を前記映像処理装置に実行させる、映像処理装置プログラム。
【発明の詳細な説明】
【技術分野】
【０００１】
本発明は、映像処理装置の映像信号出力方法に関する。
【背景技術】
【０００２】
映像処理装置（以下、ＡＶアンプという。）は、再生装置（ＤＶＤプレーヤ、ＨＤＤプレーヤ等）とＨＤＭＩケーブルまたはアナログ映像ケーブル（ＲＧＢケーブル、Ｓビデオケーブル等）で接続可能であり、再生装置から送信される映像信号を受信する。ＡＶアンプは、再生装置から送信される映像信号を、映像出力端子から表示装置（テレビ、パソコン用モニタ等）へ出力する。
【０００３】
ＡＶアンプは、映像出力端子として、ＨＤＭＩ出力端子、及び、アナログ映像出力端子(コンポーネント、Ｓビデオ、ＣＶＢＳ等)を備えているが、映像信号処理部を経由した映像信号を、ＨＤＭＩ出力端子又はアナログ映像出力端子のいずれか一方からしか出力できない。
【０００４】
ＡＶアンプは、ＨＤＭＩ出力端子に接続される表示装置から入力されるホットプラグ信号のレベルを監視している。ＡＶアンプは、ホットプラグ信号のレベルによって、映像信号をＨＤＭＩ出力端子から出力するか、アナログ映像出力端子から出力するかを切り替える。例えば、ホットプラグ信号がローレベルのとき、ＡＶアンプは表示装置の電源がＯＦＦに設定されている状態、または、表示装置が接続されていない状態であると判断し、再生装置から入力される映像信号をアナログ出力端子から出力するよう設定する。ホットプラグ信号がハイレベルのとき、ＡＶアンプは、ＨＤＭＩケーブルによって表示装置が接続されており、表示装置の電源がＯＮに設定されている状態であると判断し、再生装置から入力される映像信号をＨＤＭＩ出力端子から出力するよう設定する。
【０００５】
図１０は、ＡＶアンプがホットプラグ信号のレベルに応じて映像信号の出力先を変更する従来の動作を説明するフローチャートを示す。
【０００６】
ＡＶアンプの制御部は、表示装置からＨＤＭＩ出力部に入力されるホットプラグ信号がハイレベルであるか否かを判断し（Ｓ７０１）、ハイレベルであると判断したとき（Ｓ７０１でＹＥＳ）、ＨＤＭＩ出力部から映像信号を表示装置へ出力するよう設定する。制御部は、ＨＤＭＩ出力部に入力されるホットプラグ信号がローレベルであると判断したとき（Ｓ７０１でＮＯ）、アナログ信号出力部から映像信号を出力するよう設定する。すなわち、ＡＶアンプは、表示装置によって入力されるホットプラグ信号のレベルに応じて、映像信号の出力先をＨＤＭＩ出力部またはアナログ信号出力部のいずれかに切り替える。
【０００７】
しかしながら、ＡＶアンプに表示装置が接続されており、表示装置の電源がオンの状態であっても、ホットプラグ信号がローレベルになってしまう場合がある。例えば、再生装置からＡＶアンプに入力される映像信号がＡＶアンプの映像信号処理部によって処理されるとき、映像信号処理部の処理に時間を要し、ＡＶアンプから表示装置に映像信号が送信されるまでに時間がかかる場合、表示装置は映像信号が入力されないと判断し、ホットプラグをローレベルに落としてしまう。この結果、ＡＶアンプは、ＨＤＭＩ出力端子に表示装置が接続されており、表示装置が電源オンの状態であるにも関わらず、映像信号の出力先をアナログ信号出力部に変更してしまう。
【０００８】
図１１は、再生装置からＨＤＭＩ入力部を介して入力される映像信号（図１１：（Ａ））、ＡＶアンプの映像信号処理部のロックレベル(図１１：（Ｂ）)、ＨＤＭＩ出力部のホットプラグ信号レベル(図１１：（Ｃ）)、ＡＶアンプのＨＤＭＩ出力部から表示装置へ出力される映像信号(図１１：（Ｄ）)のタイムチャートを示す。ＨＤＭＩ出力部のホットプラグ信号レベル(図１１：（Ｃ）)は、表示装置によって変更される信号であり、表示装置がＨＤＭＩ信号を受信可能な状態であるとき、ホットプラグ信号レベルをハイレベルに設定する。図１１の（Ｃ）においてホットプラグ信号レベルがハイレベルになった時刻(図１１の（Ｃ）−１)から、ＡＶアンプが映像信号を表示装置へ出力開始する時刻(図１１の（Ｄ）−２)までの時間ｔが長い場合、表示装置によってホットプラグ信号のレベルがローレベルに落とされる(図１１の（Ｃ）−２)。この結果、アナログ信号入力部からアナログ信号が入力されていない場合であっても、図１０のＳ７０３の処理によって、ＡＶアンプはアナログ信号出力部から映像信号を出力する経路に切り替えてしまう。
【０００９】
特開２０１１−４３１５号公報には、ＨＤＭＩ出力端子に接続されている表示装置からのホットプラグ信号を検出し、ホットプラグ信号がハイレベルであれば映像出力先をＨＤＭＩ出力端子に設定し、ホットプラグ信号がローレベルであれば、映像出力先をアナログ映像出力端子に設定することが記載されている。
【先行技術文献】
【特許文献】
【００１０】
【特許文献１】特開２０１１−４３１５
【発明の概要】
【発明が解決しようとする課題】
【００１１】
本発明は上記従来の課題を解決するためになされたものであり、その目的は、表示装置が表示装置のＨＤＭＩ入力部から入力される映像信号を表示できる状態であるか否かを正確に判断し、映像信号の出力部を決定する映像処理装置を提供することである。
【課題を解決するための手段】
【００１２】
本発明の好ましい実施形態による映像処理装置は、映像信号を送信する再生装置に接続可能であり、第１の通信方式及び第２の通信方式によって映像信号を表示装置に出力可能な映像処理装置であって、  前記第１の通信方式で映像信号を出力する第１出力部と、前記第２の通信方式で映像信号を出力する第２出力部と、前記第１出力部または前記第２出力部のいずれから映像信号を前記表示装置へ出力するかを設定する設定手段と、前記第１出力部から映像信号を出力するよう設定されている場合、前記表示装置に前記第１の通信方式で前記映像処理装置と通信可能であるか否かを判断するためのコマンドを送信するコマンド送信手段とを備え、前記コマンドによって、前記第１の通信方式で前記表示装置と通信可能であると判断されたとき、前記設定手段が映像信号の出力部を前記第１出力部に設定し、設定された前記第１出力部から前記第１の通信方式によって映像信号を前記表示装置へ送信する送信手段をさらに備える。
【００１３】
映像処理装置は、再生装置と接続可能であり、再生装置から送信される映像信号を、表示装置に第１の通信方式及び第２の通信方式によって出力する。映像処理装置は、表示装置と通信可能であるか否かを判断するためのコマンド送信し、コマンドの応答を取得できた場合、表示装置が第１の通信方式で送信される映像信号を表示できると判断し、第１出力部から映像信号を送信する。この結果、表示装置が第１出力部から出力される映像信号を受信可能な状態であるにも関わらず、映像処理装置の映像出力部が第２出力部に変更されることを防止できる。
【００１４】
本発明の別の好ましい実施形態による映像処理装置は、前記再生装置から前記第１の通信方式で入力される映像信号に映像処理を実行する映像処理手段と、前記再生装置から映像信号が入力されてから、前記映像処理手段が映像処理を実行し終えるまで、前記表示装置に疑似映像信号を送信する疑似映像信号送信手段とをさらに備え、前記映像処理手段が前記映像処理を実行し終えたとき、前記疑似映像信号送信手段が前記疑似映像信号の送信を停止し、前記送信手段が前記映像処理手段によって処理された映像信号を前記表示装置に送信する。
【００１５】
映像処理装置は、第１の通信方式による映像信号が再生装置から入力されたとき、第１出力部から疑似映像信号を出力し、映像処理手段が映像信号を出力できる準備を完了したとき、映像処理手段によって処理された映像信号を出力するので表示装置は第１の通信方式によって映像信号を受信する状態を維持できる。
【００１６】
本発明の別の好ましい実施形態による映像処理装置は、前記映像処理手段によって映像処理が実行された映像信号を記憶する映像信号記憶部をさらに備え、映像信号記憶部に前記映像処理手段によって映像処理が実行された映像信号が記憶され、映像信号を前記表示装置へ送信可能な状態になった後、疑似映像信号の送信を停止し、前記送信手段が映像信号記憶部から映像信号を前記表示装置へ送信する。
【００１７】
映像処理装置は、映像処理手段によって処理された映像信号を映像信号記憶部に記憶し、映像信号記憶部から第１出力部へ映像信号を出力するので、疑似映像信号を出力している間に再生装置から映像処理装置に入力された映像信号を表示装置へ送信できる。
【００１８】
本発明の別の好ましい実施形態による映像処理装置は、前記表示装置を識別するための表示装置識別子を前記表示装置から取得する表示装置識別子取得手段と、前記映像処理装置から送信される前記第１の通信方式による映像信号を受信可能な状態であるか否かを示す出力許可信号を前記表示装置から取得する出力許可信号取得手段と、前記表示装置が映像信号を一定時間受信しなかったとき、一定時間後に前記出力許可信号を許可状態から不許可状態に変更するか否かを示す時間経過後情報を取得する時間経過後情報取得手段と、前記表示装置識別子に対応付けて、前記時間経過後情報を管理する管理手段と、前記映像処理装置に接続されている前記表示装置が、映像信号を一定時間受信しなかったとき、一定時間後に前記出力許可信号を前記不許可状態に変更するか否かを判断する時間経過後情報判断手段とをさらに備え、接続されている前記表示装置が映像信号を一定時間受信しなかったとき、一定時間後に前記出力許可信号を前記不許可状態に変更しないと判断された場合、前記疑似映像信号送信手段が前記表示装置へ前記疑似映像信号を送信しない。
【００１９】
映像処理装置は、映像処理装置に接続される表示装置が、一定時間後に出力許可信号を不許可状態に変更しない表示装置であると判断するとき、表示装置へ疑似映像信号を送信しない。この結果、表示装置に疑似映像が出力されないので、表示装置が疑似映像を表示することによって画面がちらつくことを防止できる。
【発明の効果】
【００２０】
表示装置がＨＤＭＩ入力部から入力される映像信号を表示できる状態であるか否かを正確に判断し、映像信号の出力部を決定する映像処理装置を提供できる。
【図面の簡単な説明】
【００２１】
【図１】本発明の好ましい実施形態によるブロック図である。
【図２】映像処理装置の制御部が実行するフローチャートである。
【図３】映像処理装置の制御部が実行するフローチャートである。
【図４】映像処理装置の制御部が実行するフローチャートである。
【図５】映像処理装置が入出力する信号である。
【図６】映像処理装置の制御部が実行するフローチャートである。
【図７】映像処理装置が有するテーブルである。
【図８】映像処理装置の制御部が実行するフローチャートである。
【図９】映像処理装置の制御部が実行するフローチャートである。
【図１０】映像処理装置の制御部が実行するフローチャートである。
【図１１】映像処理装置が入出力する信号である。
【発明を実施するための形態】
【００２２】
以下、本発明の好ましい実施形態による映像処理装置について、図面を参照して具体的に説明するが、本発明はこれらの実施形態には限定されない。
【００２３】
[実施形態１]
図１は、本発明の好ましい実施形態によるＡＶアンプ、再生装置及び表示装置のブロック図を示す。
【００２４】
ＡＶレシーバ１００は、制御部１１、記憶部１２、アナログ信号入力部１３、ビデオデコーダ１４、映像信号処理部１５、ビデオエンコーダ１６、アナログ信号出力部１７(第２の出力部)、ＨＤＭＩ入力部１８、及びＨＤＭＩ出力部１９(第１の出力部)を備える。制御部１１は記憶部１２に格納されたプログラムを実行することによりＡＶアンプ１００全体を制御するものであり、例えばマイコンやＣＰＵである。記憶部１２は、ＡＶアンプ１００の設定内容などを保持するものであり、例えばＲＯＭやＲＡＭである。
【００２５】
アナログ信号入力部１３は、再生装置２００から送信されるアナログ映像信号(ＲＧＢ信号、Ｓビデオ信号等)を受信する。ビデオデコーダ１４は、アナログ信号入力部１３に入力されるアナログ映像信号を、後述する映像信号処理部１５が認識できるフォーマットに変換する。映像信号処理部１５は、ビデオデコーダ１４によって変換された映像信号に、色補正、画質調整、アスペクト比調整、アップコンバート等を実行する。ビデオエンコーダ１６は映像信号処理部１５を経由した映像信号をアナログケーブルによって伝送可能なフォーマット(第２の通信方式)に変換し、アナログ信号出力部１７に伝送する。
【００２６】
再生装置２００からＨＤＭＩケーブルを通してＨＤＭＩ信号（第１の通信方式）として送信される映像信号は、ＨＤＭＩ入力部１８に入力され、映像信号処理部１５によって色補正、画質調整、アスペクト比調整、アップコンバート等が実行され、ＨＤＭＩ出力部１９へ伝送される。ＨＤＭＩ出力部１９は、制御部１１の指示によって、後述する疑似映像信号を出力することが可能である。ＨＤＭＩ出力部１９と、後述する表示装置３００のＨＤＭＩ入力部３３とはＨＤＭＩケーブルで接続され、ＨＤＭＩ信号を通信するＴＭＤＳラインと、ホットプラグ信号を検出するホットプラグ信号ラインと、ＥＤＩＤなどのデータを通信するＤＤＣ（Ｄｉｓｐｌａｙ  Ｄａｔａ  Ｃｈａｎｎｎｅｌ）ラインとで構成される。なお、ＥＤＩＤは、表示装置３００の対応解像度、機種名、及びプロダクトＩＤ等の情報を含むＩＤである。
【００２７】
再生装置２００は、制御部２１、記憶部２２、再生部２３、アナログ信号出力部２４、及びＨＤＭＩ出力部２５を備える。制御部２１は記憶部２２に格納されたプログラムを実行することにより再生装置２００全体を制御するものであり、例えばマイコンやＣＰＵである。記憶部２２は、再生装置２００の設定内容などを保持するものであり、例えばＲＯＭやＲＡＭである。再生部２３は、再生装置２００に挿入されるディスクなどを再生するものであり、例えばＤＶＤ・Ｂｌｕ−ｒａｙ再生部や、ＨＤＤ再生部である。再生部２３はＤＶＤ・Ｂｌｕ−ｒａｙディスク等のコンテンツを再生し、再生されたコンテンツの映像信号は、アナログ信号出力部２４、またはＨＤＭＩ出力部２５へ出力される。
【００２８】
表示装置３００は、制御部３１、記憶部３２、ＨＤＭＩ入力部３３、アナログ信号入力部３４、及び表示部３５を備える。制御部３１は記憶部３２に格納されたプログラムを実行することにより表示装置３００全体を制御するものであり、例えばマイコンやＣＰＵである。記憶部３２は、表示装置３００の設定内容などを保持するものであり、例えばＲＯＭやＲＡＭである。
【００２９】
ＨＤＭＩ入力部３３は、ＡＶアンプ１００のＨＤＭＩ出力部１９とＨＤＭＩケーブルによって接続されており、ＨＤＭＩ信号を受信する。アナログ信号入力部３４は、ＡＶアンプ１００のアナログ信号出力部１７とアナログケーブルで接続され、アナログ映像信号を受信し、表示部３５に表示する。
【００３０】
上記構成を備えるＡＶアンプ１００の制御部１１は、ＨＤＭＩ出力部１９から映像信号を出力するよう設定されているとき、表示装置３００からＥＤＩＤを取得できるか否かを判断する。制御部１１は、ＥＤＩＤを取得でき、かつ、アナログ信号入力部１３からアナログ映像信号が入力されていないと判断したとき、ＨＤＭＩ出力部からＨＤＭＩ信号を出力するよう設定する。また、ＡＶアンプ１００の制御部１１は、映像信号処理部１５が映像信号に映像処理を実行し終えるまで、ＨＤＭＩ出力部１９に疑似映像信号を送信させるので、表示装置３００がホットプラグ信号をローレベルに落とすことがない。この結果、ＡＶアンプ１００の制御部１１は、表示装置３００がＨＤＭＩ信号を受信、表示できる場合に確実にＨＤＭＩ出力部１９から映像信号を出力できる。
【００３１】
[実施形態１]
図２は、ＡＶレシーバ１００の制御部１１が実行するフローチャートを示す。本実施形態によると、制御部１１は、表示装置３００からＥＤＩＤを取得できた場合、映像出力部をＨＤＭＩ出力部１９に設定する。
【００３２】
制御部１１は、ＨＤＭＩ入力部１８に映像信号が入力されたか否かを判断し（Ｓ１０１）、入力信号が入力されたと判断した場合（Ｓ１０１でＹＥＳ）、ＨＤＭＩ入力部１８に入力される映像信号を映像信号処理部１５へ入力する（Ｓ１０２）。制御部１１は、ＨＤＭＩ入力部１８に映像信号が入力されていないと判断したとき（Ｓ１０１でＮＯ）、アナログ信号入力部１３から入力される映像信号をビデオデコーダ１４を介し、映像信号処理部１５に入力する（Ｓ１０３）。
【００３３】
制御部１１は、ユーザ操作によって、ＨＤＭＩ出力部１９から映像信号を出力するように設定されているか否かを判断する（Ｓ１０４）。なお、ＡＶアンプ１００は、再生装置２００から送信される映像信号を、ＨＤＭＩ出力部１９から出力するか、アナログ信号出力部１７から出力するかをユーザ操作によって設定される。
【００３４】
制御部１１は、映像信号をＨＤＭＩ出力部１９から出力するよう設定されていないと判断した場合（
Ｓ１０４でＮＯ）、映像信号の出力部をアナログ信号出力部１７に設定し（Ｓ１０５）、処理を終了する。
【００３５】
制御部１１は、映像信号をＨＤＭＩ出力部１９から出力するよう設定されていると判断した場合（Ｓ１０４でＹＥＳ）、ＨＤＭＩ出力部１９にＥＤＩＤ取得要求を送信するよう指示する（Ｓ１０６）。
【００３６】
制御部１１は、表示装置３００からＥＤＩＤを受信できたか否かを判断する（Ｓ１０７）。表示装置３００は、電源がオン状態であり、ＡＶアンプ１００から送信される要求に応答できる場合、ＥＤＩＤをＡＶアンプ１００に送信する。従って、制御部１１はＥＤＩＤを取得できたと判断した場合（Ｓ１０７でＹＥＳ）、映像信号の出力先をＨＤＭＩ出力部１９に設定し（Ｓ１０８）、処理を終了する。なお、制御部１１が表示装置３００の状態を確認するためのコマンドは、ＥＤＩＤの取得要求に限られない。例えば、制御部１１は、ＥＤＩＤの取得要求を送信する代わりに、他の任意のＣＥＣコマンドを表示装置３００へ送信し、ＣＥＣコマンドの応答を受信したとき、表示装置３００がＨＤＭＩ信号を受信できる状態であると判断してもよい。
【００３７】
制御部１１は、ＨＤＭＩ出力部１９がＥＤＩＤを取得できなかったと判断した場合（Ｓ１０７でＮＯ）、表示装置３００がＨＤＭＩ信号を受信できない状態であると判断し、映像信号の出力先をアナログ信号出力部１７に設定し（Ｓ１０５）、処理を終了する。
【００３８】
以上の本実施形態によると、ＡＶアンプ１００の制御部１１は、表示装置３００からＥＤＩＤを取得できるとき、表示装置３００がＨＤＭＩ信号を受信及び表示できると判断し、映像信号をＨＤＭＩ出力部１９から送信する。この結果、表示装置３００がＨＤＭＩ信号を受信可能な状態であるにも関わらず、ＡＶアンプ１００の映像出力部がアナログ信号出力部１７に変更されることを防止できる。
【００３９】
[実施形態２]
図３は、実施形態２のフローチャートを示す。本実施形態によると、ＡＶアンプ１００の制御部１１は、表示装置３００からＥＤＩＤを取得できない場合であって、かつ、再生装置２００からアナログ信号が入力されていると判断した場合、再生装置２００から送信される映像信号をアナログ信号出力部１７から出力する。図２と同一の処理には同一符号を付し、説明を省略する。
【００４０】
制御部１１は、映像信号をＨＤＭＩ出力部１９から出力するよう設定されていると判断した場合（
Ｓ１０４でＹＥＳ）、ＨＤＭＩ出力部１９にＥＤＩＤの取得要求を送信するよう指示する（Ｓ１０６）。制御部１１は、表示装置からＥＤＩＤを取得できなかったと判断した場合（Ｓ１０７でＮＯ）、アナログ信号入力部１３から映像信号が入力されているか否かを判断する（Ｓ２０１）。制御部１１は、アナログ信号が入力されていると判断した場合（Ｓ２０１でＹＥＳ）、映像信号の出力先をアナログ信号出力部１７に設定し（Ｓ１０５）、アナログ信号が入力されていないと判断した場合（Ｓ２０１でＮＯ）、映像信号の出力先をＨＤＭＩ出力部１９に設定する（Ｓ１０８）。
【００４１】
以上の本実施形態によると、ＡＶアンプ１００の制御部１１は、表示装置３００からＥＤＩＤが取得できない場合であっても、再生装置２００からアナログ信号が入力されていないときは、映像信号の出力部をＨＤＭＩ出力部１９に設定し続けるので、ユーザが意図しない映像信号出力先の変更を防止できる。
【００４２】
[実施形態３]
図４は、実施形態３のフローチャートを示す。本実施形態によると、ＡＶアンプ１００の制御部１１は、ＨＤＭＩ入力部１８に入力された映像信号が映像信号処理部１５によって画質等の処理が実行され、映像信号をＨＤＭＩ出力部１９から出力できる状態になるまで、ＨＤＭＩ出力部１９に疑似映像信号を出力させる。なお、図４のフローチャートは、図２または図３のいずれかによって映像信号の出力部がＨＤＭＩ出力部１９に設定された場合に実行される。
【００４３】
制御部１１は、ＨＤＭＩ入力部１８から入力されるＨＤＭＩ信号の解像度、カラースペース等、映像信号のパラメータを取得する（Ｓ３０１）。
【００４４】
制御部１１は、映像信号処理部１５に、Ｓ３０１によって取得された映像信号のパラメータを設定する（Ｓ３０２）。
【００４５】
制御部１１は、ＨＤＭＩ出力部１９に、疑似映像信号を出力するよう指示する（Ｓ３０３）。疑似映像信号は、例えばブルーバック画面を出力する映像信号等であるが、特に映像信号の内容は限定されない。
【００４６】
制御部１１は、映像信号処理部１５が映像信号をロックしたか否かを判断する（Ｓ３０４）。なお、映像信号処理部１５が、映像信号の解像度、カラースペース情報などを解析し終えた状態を、映像信号をロックした状態であるという。制御部１１は、映像信号処理部１５が映像信号をロックしていないと判断した場合（Ｓ３０４でＮＯ）、映像信号をロックするのを待ち、映像信号をロックしたと判断したとき（Ｓ３０４でＹＥＳ）、映像信号処理部１５が映像信号をＨＤＭＩ出力部１９から出力する準備が完了したか否かを判断する（Ｓ３０５）。なお、制御部１１は、映像信号処理部１５が、映像信号に、画質調整、色補正、またはアスペクト比の変更等の設定を完了したとき、ＨＤＭＩ出力部１９へ映像信号を出力する準備が完了したと判断する。
【００４７】
制御部１１は、映像信号処理部１５が映像信号をＨＤＭＩ出力部１９から出力する準備が完了していないと判断したとき（Ｓ３０５でＮＯ）、準備の完了を待ち、準備が完了したと判断したとき（Ｓ３０５でＹＥＳ）、ＨＤＭＩ出力部１９に疑似映像信号の出力を停止するよう指示する（Ｓ３０６）。
【００４８】
制御部１１は、映像信号処理部１５に映像信号を出力するよう指示し（Ｓ３０７）、ＨＤＭＩ出力部１９から映像信号が出力される。
【００４９】
図５は、本実施形態における、再生装置２００からＨＤＭＩ入力部１８を介して入力される映像信号（図５：（Ａ））、映像信号処理部１５のロックレベル(図５：（Ｂ）)、ＨＤＭＩ出力部１９のホットプラグ信号レベル(図５：（Ｃ）)、ＨＤＭＩ出力部１９の出力映像信号(図５：（Ｄ）)のタイムチャートを示す。
【００５０】
制御部１１は、映像信号がＨＤＭＩ入力部１８から入力されたとき(図５の（Ａ）−１)、ＨＤＭＩ出力部１９に疑似映像信号を出力させ（図５の（Ｄ）−１）、映像信号処理部１５が映像信号を出力する準備ができたとき、映像信号を出力するので（図５の（Ｄ）−２）、図５の（Ｃ）のホットプラグレベルがローレベルに落とされることがない。従って、制御部１１は、図１１のフローチャートにおいて映像信号の出力先をアナログ信号出力部１７に変更しない。
【００５１】
ところで、実施形態３において、疑似映像信号が出力されている間、再生装置２００から入力される映像信号は表示装置３００に送信されない。従って、図５の（Ａ）−２で示される時間（Ｄｕｍｍｙ  Ｔｉｍｅ）に入力された映像信号が表示装置３００に表示されないという問題がある。
【００５２】
[実施形態４]
図６は実施形態４のフローチャートを示す。本実施形態によると、ＡＶアンプ１００の制御部１１は、映像信号処理部１５に、ＨＤＭＩ入力部１８から入力された映像信号を処理した後の映像信号を記憶部１２にバッファするよう指示する。制御部１１は、映像信号処理部１５がバッファを完了したとき、記憶部１２のバッファから映像信号をＨＤＭＩ出力部１９に出力する。図４と同一の処理には同一符号を付し、説明を省略する。
【００５３】
制御部１１は、映像信号処理部１５が映像信号をロックしたと判断したとき（Ｓ３０４でＹＥＳ）、映像信号処理部１５に、映像信号処理部１５が処理した後の映像信号を記憶部１２に記憶するよう指示する（Ｓ４０１）。制御部１１は、バッファが完了したか否かを判断し（Ｓ４０２）、完了していないと判断したとき（Ｓ４０２でＮＯ）、バッファの完了を待ち、完了したと判断したとき（Ｓ４０２でＹＥＳ）、ＨＤＭＩ出力部１９に疑似映像信号の出力を停止するよう指示し（Ｓ３０６）、記憶部１２に記憶されている映像信号をＨＤＭＩ出力部１９へ送信する（Ｓ４０３）。なお、本実施形態において、映像信号処理部１５によって処理された映像信号は必ず記憶部１２に一時的に記憶され、制御部１１の指示によって記憶部１２からＨＤＭＩ出力部１９へ送信される。なお、制御部１１は、表示装置３００へ送信済みの映像信号を記憶部１２から消去する。なお、映像信号は記憶部１２にバッファされてもよいし、記憶部１２とは異なるメモリを設置し、バッファしてもよい。
【００５４】
以上の本実施形態によると、ＡＶアンプ１００の制御部１１は、映像信号処理部１５によって処理された映像信号を記憶部１２に記憶し、記憶部１２からＨＤＭＩ出力部１９へ映像信号を出力するので、疑似映像信号を出力している間に再生装置２００から入力された映像信号を表示装置３００へ出力できる。
【００５５】
[実施形態５]
図７は、表示装置３００のプロダクトＩＤと、ホットプラグパラメータとを対応付けて管理するテーブルである。プロダクトＩＤは、ＥＤＩＤに含まれる表示装置３００を識別するためのＩＤである。ホットプラグパラメータは、表示装置３００がホットプラグ信号をハイレベルに設定してから、一定時間ＡＶアンプ１００から映像信号が入力されない場合にローレベルに変更する場合はＴＲＵＥであり、表示装置３００がホットプラグ信号をハイレベルに設定してから、一定時間ＡＶアンプから映像信号が入力されない場合であってもハイレベルを維持する場合はＦＡＬＳＥである。
【００５６】
例えば、図７のテーブルにおいて、表示装置３００のプロダクトＩＤがＴＶ  Ｍａｋｅｒ１の場合、ホットプラグパラメータがＴＲＵＥであるので、プロダクトＩＤがＴＶ  Ｍａｋｅｒ１の表示装置３００はホットプラグ信号をハイレベルに設定してから、一定時間ＡＶアンプ１００から映像信号が入力されない場合、ホットプラグ信号をローレベルに変更する。
【００５７】
図８は図７のテーブルを生成するフローチャートを示す。ＡＶアンプ１００の制御部１１は、表示装置３００と接続されたとき、表示装置３００からＥＤＩＤを取得し、ＥＤＩＤに含まれるプロダクトＩＤを取得する（Ｓ５０１）。
【００５８】
制御部１１は、ＨＤＭＩ出力部１９に表示装置３００から入力されるホットプラグ信号がハイレベルであるか否かを判断し（Ｓ５０２）、ハイレベルでないと判断した場合（Ｓ５０２でＮＯ）、ハイレベルに変更されるのを待ち、ハイレベルであると判断した場合（Ｓ５０２でＹＥＳ）、一定時間、ＨＤＭＩ出力部１９から映像信号を送信せずに待機し、ホットプラグ信号のレベルを監視する（Ｓ５０３）。なお、一定時間は例えば３秒などである。
【００５９】
制御部１１は、一定時間経過後、ホットプラグ信号のレベルがローレベルに変化したか否かを判断し（Ｓ５０４）、ローレベルに変化したと判断したとき（Ｓ５０４でＹＥＳ）、Ｓ５０１の処理によって取得したプロダクトＩＤと、ホットプラグパラメータ（ＴＲＵＥ）とをテーブルに登録する（Ｓ５０６）。制御部１１は、ローレベルに変化しないと判断したとき（Ｓ５０４でＮＯ）、Ｓ５０１の処理によって取得したプロダクトＩＤと、ホットプラグパラメータ（ＦＡＬＳＥ）とをテーブルに登録する（Ｓ５０５）。以上の処理によって、図７のテーブルが生成される。
【００６０】
図９は、本実施形態のフローチャートを示す。本実施形態によると、ＡＶアンプ１００に接続される表示装置３００のホットプラグパラメータがＦＡＬＳＥの場合、制御部１１は、ＨＤＭＩ出力部１９に疑似映像信号を出力するよう指示しない。図４と同一の処理には同一符号を付し、説明を省略する。
【００６１】
制御部１１は、表示装置３００にＥＤＩＤの取得要求を送信し（Ｓ６０１）、ＥＤＩＤに含まれるプロダクトＩＤを取得する。制御部１１は、図７のテーブルを参照し、プロダクトＩＤに対応するホットプラグパラメータを取得し、ホットプラグパラメータがＴＲＵＥであるか否かを判断する（Ｓ６０２）。制御部１１は、ホットプラグパラメータがＴＲＵＥであると判断した場合（Ｓ６０２でＹＥＳ）、表示装置３００はホットプラグ信号をローレベルに変更する装置であると判断できるので、ダミーフラグをオンに設定する（Ｓ６０３）。ダミーフラグは、疑似映像信号を送信することを示すフラグであり、初期値はオフである。
【００６２】
制御部１１は、映像信号処理部１５が映像信号を出力する準備ができたと判断したとき（Ｓ３０５でＹＥＳ）、ダミーフラグがオンであるか否かを判断し（Ｓ６０４）、オンであると判断したとき（Ｓ６０４でＹＥＳ）、疑似映像信号の出力を停止するようＨＤＭＩ出力部１９に指示し（Ｓ６０５）、映像信号処理部１５に、映像信号をＨＤＭＩ出力部１９から出力するよう指示する（Ｓ３０７）。
【００６３】
制御部１１は、ホットプラグパラメータがＦＡＬＳＥであると判断したとき（Ｓ６０２でＮＯ）、疑似映像信号を表示装置３００に送信せず、Ｓ３０４の処理によって映像信号処理部１５が映像信号をロックしたか否かを判断する。また、制御部１１は、ダミーフラグがオフであると判断したとき（Ｓ６０４でＮＯ）、Ｓ３０７の処理を実行する。
【００６４】
以上の本実施形態によると、表示装置３００のホットプラグパラメータがＦＡＬＳＥであるとき、疑似映像信号を送信しない。この結果、表示装置３００に疑似映像信号による映像が出力されないので、表示装置３００が疑似映像を表示することによって画面がちらつくことを防止できる。
【００６５】
以上、本発明の好ましい実施形態について説明したが、本発明はこれらの実施形態には限定されない。ＡＶアンプ１００に複数の再生装置２００、または表示装置３００が接続されてもよい。また、ＡＶアンプ１００は複数のＨＤＭＩ入力部１８、ＨＤＭＩ出力部１９、アナログ信号入力部１３、及びアナログ信号出力部１７を備えてもよい。ＨＤＭＩ出力部１９の代わりに、ＤＶＩ信号出力部等を備えてもよい。
【産業上の利用可能性】
【００６６】
本発明は、ＡＶアンプ、ＡＶレシーバ等の機器に好適に採用され得る。
【符号の説明】
【００６７】
１００          ＡＶアンプ
２００          再生装置
３００          表示装置
１１            制御部
１２            記憶部
１３            アナログ信号入力部
１４            ビデオデコーダ
１５            映像信号処理部
１６            ビデオエンコーダ
１７            アナログ信号出力部
１８            ＨＤＭＩ入力部
１９            ＨＤＭＩ出力部
２１            制御部
２２            記憶部
２３            再生部
２４            アナログ信号出力部
２５            ＨＤＭＩ出力部
３１            制御部
３２            記憶部
３３            ＨＤＭＩ入力部
３４            アナログ信号入力部
【図１】
2013172278.tif 000003
【図２】
2013172278.tif 000004
【図３】
2013172278.tif 000005
【図４】
2013172278.tif 000006
【図５】
2013172278.tif 000007
【図６】
2013172278.tif 000008
【図７】
2013172278.tif 000009
【図８】
2013172278.tif 000010
【図９】
2013172278.tif 000011
【図１０】
2013172278.tif 000012
【図１１】
2013172278.tif 000013